(57)【要約】【課題】障害が発生した場合でも不要電波の送出を防ぐことができ、かつ運用を継続することができるような無線基地局装置を提供する。【解決手段】無線基地局装置１Ａは、ベースバンド信号を無線周波数信号に変換して送出する複数の現用系無線送出部１３１Ａ〜１３１Ｃ及び一つの予備系無線送出部１３１Ｘと、無線送出中の前記複数の現用系無線送出部１３１Ａ〜１３１Ｃのうちの一に対して無線送出停止指示を出力する送出停止処理部１１４と、運用待機中の前記予備系無線送出部１３１Ｘに対して無線送出開始指示を出力する送出開始処理部１１５と、前記複数の現用系無線送出部１３１Ａ〜１３１Ｃのうちの一から前記予備系無線送出部１３１Ｘへの運用切替を行う送出切替部１３３と、前記送出停止処理部１１４、送出開始処理部１１５及び送出切替部１３３の動作制御を行う制御管理部１１１と、を備えている。【選択図】図１
2005286970.tif 000002
【特許請求の範囲】
【請求項１】
ベースバンド信号を無線周波数信号に変換して送出する複数の現用系無線送出部及び一つの予備系無線送出部と、
無線送出中の前記複数の現用系無線送出部のうちの一に対して無線送出停止指示を出力する送出停止処理部と、
運用待機中の前記予備系無線送出部に対して無線送出開始指示を出力する送出開始処理部と、
前記複数の現用系無線送出部のうちの一から前記予備系無線送出部への運用切替を行う送出切替部と、
前記送出停止処理部、送出開始処理部及び送出切替部の動作制御を行う制御管理部と、
を備えた無線基地局装置。
【請求項２】
前記複数の現用系無線送出部のうちの一が復旧した際には、
前記送出停止処理部は無線送出中の前記予備系無線送出部に対して無線送出停止指示を出力し、
前記送出切替部は前記予備系無線送出部から前記復旧した複数の現用系無線送出部のうちの一への運用切替を行い、
前記送出開始処理部は前記復旧した複数の現用系無線送出部のうちの一に対して無線送出開始指示を出力する請求項１に記載の無線基地局装置。
【請求項３】
無線周波数信号をベースバンド信号に変換する複数の現用系無線受信部及び一つの予備系無線受信部と、
無線受信中の前記複数の現用系無線受信部のうちの一に対して無線受信停止指示を出力する受信停止処理部と、
運用待機中の前記予備系無線受信部に対して無線受信開始指示を出力する受信開始処理部と、
前記複数の現用系無線受信部のうちの一から前記予備系無線受信部への運用切替を行う受信切替部と、
前記受信停止処理部、受信開始処理部及び受信切替部の動作制御を行う制御管理部と、
を備えた無線基地局装置。
【請求項４】
前記複数の現用系無線受信部のうちの一が復旧した際には、
前記受信停止処理部は無線受信中の前記予備系無線受信部に対して無線受信停止指示を出力し、
前記受信切替部は前記予備系無線受信部から前記復旧した複数の現用系無線受信部のうちの一への運用切替を行い、
前記受信開始処理部は前記復旧した複数の現用系無線受信部のうちの一に対して無線受信開始指示を出力する請求項３に記載の無線基地局装置。
【請求項５】
ベースバンド信号を無線周波数信号に変換して送出する複数の現用系無線送出部及び一つの予備系無線送出部と、
無線送出中の前記複数の現用系無線送出部のうちの一に対して無線送出停止指示を出力する送出停止処理部と、
運用待機中の前記予備系無線送出部に対して無線送出開始指示を出力する送出開始処理部と、
前記複数の現用系無線送出部のうちの一から前記予備系無線送出部への運用切替を行う送出切替部と、
無線周波数信号をベースバンド信号に変換する複数の現用系無線受信部及び一つの予備系無線受信部と、
無線受信中の前記複数の現用系無線受信部のうちの一に対して無線受信停止指示を出力する受信停止処理部と、
運用待機中の前記予備系無線受信部に対して無線受信開始指示を出力する受信開始処理部と、
前記複数の現用系無線受信部のうちの一から前記予備系無線受信部への運用切替を行う受信切替部と、
前記送出停止処理部、送出開始処理部、送出切替部、受信停止処理部、受信開始処理部及び受信切替部の動作制御を行う制御管理部と、
を備えた無線基地局装置。
【請求項６】
前記複数の現用系無線送出部のうちの一が復旧した際には、
前記送出停止処理部は無線送出中の前記予備系無線送出部に対して無線送出停止指示を出力し、
前記送出切替部は前記予備系無線送出部から前記復旧した複数の現用系無線送出部のうちの一への運用切替を行い、
前記送出開始処理部は前記復旧した複数の現用系無線送出部のうちの一に対して無線送出開始指示を出力し、
前記複数の現用系無線受信部のうちの一が復旧した際には、
前記受信停止処理部は無線受信中の前記予備系無線受信部に対して無線受信停止指示を出力し、
前記受信切替部は前記予備系無線受信部から前記復旧した複数の現用系無線受信部のうちの一への運用切替を行い、
前記受信開始処理部は前記復旧した複数の現用系無線受信部のうちの一に対して無線受信開始指示を出力する請求項５に記載の無線基地局装置。
【請求項７】
ベースバンド信号を無線周波数信号に変換して送出する複数の現用系無線送出部及び一つの予備系無線送出部と、
無線送出中の前記複数の現用系無線送出部のうちの一に対して無線送出停止指示を出力する送出停止処理部と、
運用待機中の前記予備系無線送出部に対して無線送出開始指示を出力する送出開始処理部と、
前記複数の現用系無線送出部のうちの一から前記予備系無線送出部への運用切替を行う送出切替部と、
前記複数の現用系無線送出部及び前記予備系無線送出部に対してヘルスチェック信号を送出するヘルスチェック処理部と、
一定期間前記ヘルスチェック信号に対する応答が無い無線送出部が存在する場合に前記予備系無線送出部に対して強制送出停止指示を出力する強制停止処理部と、
前記送出停止処理部、送出開始処理部、送出切替部、ヘルスチェック処理部及び強制停止処理部の動作制御を行う制御管理部と、
を備え、前記強制送出停止指示を受信した前記予備系無線送出部は前記応答が無い無線送出部の無線送出を強制的に停止させる無線基地局装置。
【請求項８】
無線周波数信号をベースバンド信号に変換する複数の現用系無線受信部及び一つの予備系無線受信部と、
無線受信中の前記複数の現用系無線受信部のうちの一に対して無線受信停止指示を出力する受信停止処理部と、
運用待機中の前記予備系無線受信部に対して無線受信開始指示を出力する受信開始処理部と、
前記複数の現用系無線受信部のうちの一から前記予備系無線受信部への運用切替を行う受信切替部と、
前記複数の現用系無線受信部及び前記予備系無線受信部に対してヘルスチェック信号を送出するヘルスチェック処理部と、
一定期間前記ヘルスチェック信号に対する応答が無い無線受信部が存在する場合に前記予備系無線受信部に対して強制受信停止指示を出力する強制停止処理部と、
前記受信停止処理部、受信開始処理部、受信切替部、ヘルスチェック処理部及び強制停止処理部の動作制御を行う制御管理部と、
を備え、前記強制受信停止指示を受信した前記予備系無線受信部は前記応答が無い無線受信部の無線受信を強制的に停止させる無線基地局装置。
【発明の詳細な説明】
【技術分野】
【０００１】
本発明は、移動体通信システムにおける無線基地局装置に関する。
【背景技術】
【０００２】
従来用いられていた無線基地局装置の無線送出制御に関する技術として、例えば特許文献１に示されている技術がある。
【０００３】
従来、無線基地局装置において、無線送出部の故障により、不要な無線電波を送出してしまうことが問題とされており、また無線送出部から同一周波数の無線信号を重ねて送出することは許されていない。そこで、無線基地局装置においては、上位装置により、無線送出部の異常状態を監視し、異常を検出した場合には、無線送出を停止させる機能を有するものが一般的とされている。
【０００４】
【特許文献１】特開２０００−１０２０５４号公報
【発明の開示】
【発明が解決しようとする課題】
【０００５】
しかしながら、上記技術において、無線送出を停止させ不要電波の送出を防ぐことは可能となるが、無線基地局装置としての運用を継続することができない。移動体通信システムの無線基地局装置においては、障害が発生した場合も障害が発生した箇所を運用から切り離した上で、運用を継続することが求められる。
【０００６】
また、障害により運用から切り離した箇所が復旧した場合に、できる限り迅速に元の状態に戻し、通常の装置状態で運用を継続することが必要となる。
【０００７】
また、無線送出部の故障のレベルによっては、上位装置による通常の状態監視が不可能となる場合も考えられる。このような場合にも確実に無線送出を停止させ、同一周波数の無線信号を送出させないようにしなければならない。
【０００８】
本発明は、このような実情に鑑みてなされたものであり、障害が発生した場合でも不要電波の送出を防ぐことができ、かつ運用を継続することができるような無線基地局装置を提供することを目的とする。また、障害復旧時に迅速に元の状態に戻し通常の装置状態で運用を継続することができるような無線基地局装置を提供することを目的とする。さらに、通常の状態監視では検出することができない障害が発生した場合でも確実に無線送出を停止させることができるような無線基地局装置を提供することを目的とする。
【課題を解決するための手段】
【０００９】
本発明の無線基地局装置は、ベースバンド信号を無線周波数信号に変換して送出する複数の現用系無線送出部及び一つの予備系無線送出部と、無線送出中の前記複数の現用系無線送出部のうちの一に対して無線送出停止指示を出力する送出停止処理部と、運用待機中の前記予備系無線送出部に対して無線送出開始指示を出力する送出開始処理部と、前記複数の現用系無線送出部のうちの一から前記予備系無線送出部への運用切替を行う送出切替部と、前記送出停止処理部、送出開始処理部及び送出切替部の動作制御を行う制御管理部と、を備えている。
【００１０】
この構成によれば、無線送出中の複数の現用系無線送出部のうちの一に対して無線送出停止指示を与え、運用待機中の予備系無線送出部に対して無線送出開始指示を与えるので、障害が発生した場合でも不要電波の送出を防ぐことができ、かつ障害が発生した箇所を運用から切り離して運用を継続することができる。
【００１１】
本発明の無線基地局装置は、前記複数の現用系無線送出部のうちの一が復旧した際には、前記送出停止処理部が無線送出中の前記予備系無線送出部に対して無線送出停止指示を出力し、前記送出切替部が前記予備系無線送出部から前記復旧した複数の現用系無線送出部のうちの一への運用切替を行い、前記送出開始処理部が前記復旧した複数の現用系無線送出部のうちの一に対して無線送出開始指示を出力するものを含む。
【００１２】
この構成によれば、無線送出中の予備系無線送出部に対して無線送出停止指示が与えられ、復旧した複数の現用系無線送出部のうちの一に対して無線送出開始指示が与えられるので、障害復旧時に迅速に元の状態に戻し通常の装置状態で運用を継続することができる。
【００１３】
本発明の無線基地局装置は、無線周波数信号をベースバンド信号に変換する複数の現用系無線受信部及び一つの予備系無線受信部と、無線受信中の前記複数の現用系無線受信部のうちの一に対して無線受信停止指示を出力する受信停止処理部と、運用待機中の前記予備系無線受信部に対して無線受信開始指示を出力する受信開始処理部と、前記複数の現用系無線受信部のうちの一から前記予備系無線受信部への運用切替を行う受信切替部と、前記受信停止処理部、受信開始処理部及び受信切替部の動作制御を行う制御管理部と、を備えている。
【００１４】
この構成によれば、無線受信中の複数の現用系無線受信部のうちの一に対して無線受信停止指示を与え、運用待機中の予備系無線受信部に対して無線受信開始指示を与えるので、障害が発生した場合でも不要電波の受信を防ぐことができ、かつ障害が発生した箇所を運用から切り離して運用を継続することができる。
【００１５】
本発明の無線基地局装置は、前記複数の現用系無線受信部のうちの一が復旧した際には、前記受信停止処理部が無線受信中の前記予備系無線受信部に対して無線受信停止指示を出力し、前記受信切替部が前記予備系無線受信部から前記復旧した複数の現用系無線受信部のうちの一への運用切替を行い、前記受信開始処理部が前記復旧した複数の現用系無線受信部のうちの一に対して無線受信開始指示を出力するものを含む。
【００１６】
この構成によれば、無線受信中の予備系無線受信部に対して無線受信停止指示が与えられ、復旧した複数の現用系無線受信部のうちの一に対して無線受信開始指示が与えられるので、障害復旧時に迅速に元の状態に戻し通常の装置状態で運用を継続することができる。
【００１７】
本発明の無線基地局装置は、ベースバンド信号を無線周波数信号に変換して送出する複数の現用系無線送出部及び一つの予備系無線送出部と、無線送出中の前記複数の現用系無線送出部のうちの一に対して無線送出停止指示を出力する送出停止処理部と、運用待機中の前記予備系無線送出部に対して無線送出開始指示を出力する送出開始処理部と、前記複数の現用系無線送出部のうちの一から前記予備系無線送出部への運用切替を行う送出切替部と、無線周波数信号をベースバンド信号に変換する複数の現用系無線受信部及び一つの予備系無線受信部と、無線受信中の前記複数の現用系無線受信部のうちの一に対して無線受信停止指示を出力する受信停止処理部と、運用待機中の前記予備系無線受信部に対して無線受信開始指示を出力する受信開始処理部と、前記複数の現用系無線受信部のうちの一から前記予備系無線受信部への運用切替を行う受信切替部と、前記送出停止処理部、送出開始処理部、送出切替部、受信停止処理部、受信開始処理部及び受信切替部の動作制御を行う制御管理部と、を備えている。
【００１８】
この構成によれば、無線送出中の複数の現用系無線送出部のうちの一に対して無線送出停止指示を与え、運用待機中の予備系無線送出部に対して無線送出開始指示を与えるので、障害が発生した場合でも不要電波の送出を防ぐことができ、かつ障害が発生した箇所を運用から切り離して運用を継続することができる。また、無線受信中の複数の現用系無線受信部のうちの一に対して無線受信停止指示を与え、運用待機中の予備系無線受信部に対して無線受信開始指示を与えるので、障害が発生した場合でも不要電波の受信を防ぐことができ、かつ障害が発生した箇所を運用から切り離して運用を継続することができる。
【００１９】
本発明の無線基地局装置は、前記複数の現用系無線送出部のうちの一が復旧した際には、前記送出停止処理部が無線送出中の前記予備系無線送出部に対して無線送出停止指示を出力し、前記送出切替部が前記予備系無線送出部から前記復旧した複数の現用系無線送出部のうちの一への運用切替を行い、前記送出開始処理部が前記復旧した複数の現用系無線送出部のうちの一に対して無線送出開始指示を出力し、前記複数の現用系無線受信部のうちの一が復旧した際には、前記受信停止処理部が無線受信中の前記予備系無線受信部に対して無線受信停止指示を出力し、前記受信切替部が前記予備系無線受信部から前記復旧した複数の現用系無線受信部のうちの一への運用切替を行い、前記受信開始処理部が前記復旧した複数の現用系無線受信部のうちの一に対して無線受信開始指示を出力するものを含む。
【００２０】
この構成によれば、無線送出中の予備系無線送出部に対して無線送出停止指示が与えられ、復旧した複数の現用系無線送出部のうちの一に対して無線送出開始指示が与えられるので、障害復旧時に迅速に元の状態に戻し通常の装置状態で運用を継続することができる。また、無線受信中の予備系無線受信部に対して無線受信停止指示が与えられ、復旧した複数の現用系無線受信部のうちの一に対して無線受信開始指示が与えられるので、障害復旧時に迅速に元の状態に戻し通常の装置状態で運用を継続することができる。
【００２１】
本発明の無線基地局装置は、ベースバンド信号を無線周波数信号に変換して送出する複数の現用系無線送出部及び一つの予備系無線送出部と、無線送出中の前記複数の現用系無線送出部のうちの一に対して無線送出停止指示を出力する送出停止処理部と、運用待機中の前記予備系無線送出部に対して無線送出開始指示を出力する送出開始処理部と、前記複数の現用系無線送出部のうちの一から前記予備系無線送出部への運用切替を行う送出切替部と、前記複数の現用系無線送出部及び前記予備系無線送出部に対してヘルスチェック信号を送出するヘルスチェック処理部と、一定期間前記ヘルスチェック信号に対する応答が無い無線送出部が存在する場合に前記予備系無線送出部に対して強制送出停止指示を出力する強制停止処理部と、前記送出停止処理部、送出開始処理部、送出切替部、ヘルスチェック処理部及び強制停止処理部の動作制御を行う制御管理部と、を備え、前記強制送出停止指示を受信した前記予備系無線送出部は前記応答が無い無線送出部の無線送出を強制的に停止させる。
【００２２】
この構成によれば、複数の現用系無線送出部及び予備系無線送出部に対してヘルスチェック信号を送出し、一定期間ヘルスチェック信号に対する応答が無い無線送出部が存在する場合に予備系無線送出部に対して強制送出停止指示を与え、強制送出停止指示を受信した予備系無線送出部は当該応答が無い無線送出部の無線送出を強制的に停止させるので、通常の状態監視では検出することができない障害が発生した場合でも確実に無線送出を停止させることができる。
【００２３】
本発明の無線基地局装置は、無線周波数信号をベースバンド信号に変換する複数の現用系無線受信部及び一つの予備系無線受信部と、無線受信中の前記複数の現用系無線受信部のうちの一に対して無線受信停止指示を出力する受信停止処理部と、運用待機中の前記予備系無線受信部に対して無線受信開始指示を出力する受信開始処理部と、前記複数の現用系無線受信部のうちの一から前記予備系無線受信部への運用切替を行う受信切替部と、前記複数の現用系無線受信部及び前記予備系無線受信部に対してヘルスチェック信号を送出するヘルスチェック処理部と、一定期間前記ヘルスチェック信号に対する応答が無い無線受信部が存在する場合に前記予備系無線受信部に対して強制受信停止指示を出力する強制停止処理部と、前記受信停止処理部、受信開始処理部、受信切替部、ヘルスチェック処理部及び強制停止処理部の動作制御を行う制御管理部と、を備え、前記強制受信停止指示を受信した前記予備系無線受信部は前記応答が無い無線受信部の無線受信を強制的に停止させる。
【００２４】
この構成によれば、複数の現用系無線受信部及び予備系無線受信部に対してヘルスチェック信号を送出し、一定期間ヘルスチェック信号に対する応答が無い無線受信部が存在する場合に予備系無線受信部に対して強制受信停止指示を与え、強制受信停止指示を受信した予備系無線受信部は当該応答が無い無線受信部の無線受信を強制的に停止させるので、通常の状態監視では検出することができない障害が発生した場合でも確実に無線受信を停止させることができる。
【発明の効果】
【００２５】
本発明の無線基地局装置によれば、無線送出中の複数の現用系無線送出部のうちの一に対して無線送出停止指示を与え、運用待機中の予備系無線送出部に対して無線送出開始指示を与えるので、障害が発生した場合でも不要電波の送出を防ぐことができ、かつ障害が発生した箇所を運用から切り離して運用を継続することができる。また、無線送出中の予備系無線送出部に対して無線送出停止指示が与えられ、運用待機中の復旧した複数の現用系無線送出部のうちの一に対して無線送出開始指示が与えられるので、障害復旧時に迅速に元の状態に戻し通常の装置状態で運用を継続することができる。さらに、複数の現用系無線送出部及び予備系無線送出部に対してヘルスチェック信号を送出し、一定期間ヘルスチェック信号に対する応答が無い無線送出部が存在する場合に予備系無線送出部に対して強制送出停止指示を与え、強制送出停止指示を受信した予備系無線送出部は当該応答が無い無線送出部の無線送出を強制的に停止させるので、通常の状態監視では検出することができない障害が発生した場合でも確実に無線送出を停止させることができる。
【発明を実施するための最良の形態】
【００２６】
以下、本発明の実施の形態について、図面を用いて詳細に説明する。
【００２７】
（実施の形態１）
図１は、本発明の実施の形態１に係る無線基地局装置の概略構成を示すブロック図である。図１において、本実施の形態に係る無線基地局装置１Ａは、有線回線網１２１からのデータを無線側のインターフェイスに合うデータフォーマットに変換し、当該無線基地局装置１Ａが担当する無線エリアに存在する移動機に対して、アンテナ２を介して無線周波数信号を送出する。また、無線周波数で搬送される移動機からのデータをアンテナ２を介して受信し、有線側のインターフェイスに合うデータフォーマットに変換し、有線回線網１２１に送出する。
【００２８】
無線基地局装置１Ａは、監視制御機能部１１Ａと、ベースバンド信号処理部１２と、無線送出機能部１３とを備えている。監視制御機能部１１Ａは、無線基地局装置１Ａ内の各機能部の状態を収集監視し、当該状態に応じて各機能部の制御を行うものであり、制御管理部１１１と、状態記憶部１１２と、状態取得部１１３と、送出停止処理部１１４と、送出開始処理部１１５とを備えている。制御管理部１１１は、状態取得部１１３により収集された無線基地局装置１Ａ内の各機能部の状態が蓄積される状態記憶部１１２より、無線基地局装置１Ａ内の各機能部の状態を取得するものであり、送出停止処理部１１４、送出開始処理部１１５及び後述する送出切替部１３３の動作制御を行うものである。送出停止処理部１１４は、後述する複数の現用系無線送出部１３１Ａ〜１３１Ｃ及び予備系無線送出部１３１Ｘのうちの一に対して無線送出停止指示を出力するものである。送出開始処理部１１５は、複数の現用系無線送出部１３１Ａ〜１３１Ｃ及び予備系無線送出部１３１Ｘのうちの一に対して無線送出開始指示を出力するものである。
【００２９】
ベースバンド信号処理部１２は、有線回線網１２１からのデータに対してベースバンド拡散処理を行うものである。無線送出機能部１３は、ベースバンド信号処理部１２からのベースバンド信号を受信し、無線送出する機能を有するものであり、現用系無線送出部１３１Ａ〜１３１Ｃ及び予備系無線送出部１３１Ｘと、無線増幅部１３２Ａ〜１３２Ｃと、送出切替部１３３とを備えている。現用系無線送出部１３１Ａ〜１３１Ｃ及び予備系無線送出部１３１Ｘは、ベースバンド信号を無線周波数信号に変換するものである。無線増幅部１３２Ａ〜１３２Ｃは、当該無線周波数信号を増幅しアンテナ２に送出を行うものである。送出切替部１３３は、現用系無線送出部１３１Ａ〜１３１Ｃのうちの一から予備系無線送出部１３１Ｘへの運用切替を行うものである。無線送出部１３１Ａ〜１３１Ｃ及び１３１Ｘは、冗長構成をとることにより、障害発生時に待機している予備系無線送出部１３１Ｘに運用を切替えることにより、サービスの中断を回避することが可能となる。
【００３０】
次に、無線信号の送出停止の動作について説明する。本来、無線信号の送出時において、現用系無線送出部１３１Ａ〜１３１Ｃにおいて何らかの障害が発生した場合、現用系無線送出部１３１Ａ〜１３１Ｃは、自律的に自身の障害を検出し、自身の無線送出を停止し、予備系無線送出部１３１Ｘに運用を切替える。
【００３１】
一方、無線送出部１３１Ａ〜１３１Ｃを含む機能部のバージョンアップ等を行うために、当該機能部を運用から切り離す必要がある場合がある。この場合、無線基地局装置１Ａの上位装置（図示せず）などから運用からの切り離しの指示を、制御管理部１１１が受信する。制御管理部１１１は、当該指示に従い、無線送出部１３１Ａ〜１３１Ｃのうち、運用から切り離す対象となる無線送出部の閉塞処理を行う。閉塞処理は、現在、接続が確立されている無線リソースの使用が終了するのを待ち、その後当該無線送出部のリソースが使用されないようにするための処理である。閉塞処理の途中、無線送出部は予閉塞状態に遷移するが、この予閉塞状態は、待機している予備系無線送出部１３１Ｘ（カード）への無線リソースの引継ぎが完了するまで持続するため、自身で無線リソースの使用終了を検知することができない。このため、監視制御機能部１１Ａにより、現用系無線送出部１３１Ａ〜１３１Ｃと予備系無線送出部１３１Ｘの状態を監視し、明示的に無線送出機能部１３に対して無線送出停止指示を出す必要がある。
【００３２】
ここでは、第１の無線送出部１３１Ａを運用から切り離す必要がある場合を例に説明をする。状態取得部１１３は、定期的に第１〜第３の無線送出部１３１Ａ〜１３１Ｃの状態を監視し、状態記憶部１１２に状態を格納する。状態の取得は、無線送出部が状態の変化があったときに非同期に監視制御機能部１１Ａに報告しても良い。また、必要に応じて不定期に状態取得部１１３から取得をしても構わない。
【００３３】
制御管理部１１１は、上位装置（図示せず）からの第１の無線送出部１３１Ａに対する閉塞指示を受付けたとする。制御管理部１１１は、第１の無線送出部１３１Ａに対し閉塞指示を送出する。無線送出部１３１Ａは、閉塞指示に従い、自身の状態を予閉塞状態とし、使用中の無線リソースの使用が終了するまで待機する。状態取得部１１３は、無線送出部１３１Ａの閉塞状態を検知し、状態記憶部１１２に格納する。
【００３４】
制御管理部１１１は、第１の無線送出部１３１Ａの無線リソースに関する情報を更新し、同時に予備系無線送出部１３１Ｘの状態を確認する。予備系無線送出部１３１Ｘの状態が無線リソースを未使用である場合は、予備系無線送出部１３１Ｘへの切替が可能と判断する。予備系無線送出部１３１Ｘの状態が、無線リソースを使用中である場合には、予備系無線送出部１３１Ｘへの切替が不可能と判断し、切替処理を行わない。
【００３５】
予備系無線送出部１３１Ｘへの切替が可能と判断した場合、制御管理部１１１は、送出停止処理部１１４に対し、第１の無線送出部１３１Ａへの無線送出停止指示を送出する。無線停止処理部１１４は、当該指示を受け、第１の無線送出部１３１Ａに対し、無線送出停止指示を送出する。この段階で、第１の無線送出部１３１Ａは、無線信号の送出を停止する。
【００３６】
無線信号の送出停止を検知した制御管理部１１１は、無線送出機能部１３内の送出切替部１３３に対し、無線送出の切替指示を送出する。切替指示を受信した送出切替部１３３は、第１の無線送出部１３１Ａに接続されていた無線送出経路を、予備系無線送出部１３１Ｘへの接続に切替を実施する。
【００３７】
予備系無線送出部１３１Ｘへの切替が完了した時点で、制御管理部１１１は、送出開始処理部１１５に対し、予備系無線送出部１３１Ｘへの無線送出開始指示を送出する。無線開始処理部１１５は、当該指示を受け、予備系無線送出部１３１Ｘに対し、無線送出開始指示を送出する。この段階で、予備系無線送出部１３１Ｘは、無線信号の送出を開始する。
【００３８】
以上説明したとおり、上位装置等からの指示により現用系無線送出部の運用からの切り離しを行う場合に、不要な電波を二重に送出することなく、運用を継続することが可能となる。
【００３９】
（実施の形態２）
次に、図１を用いて、本発明の実施の形態２について説明する。実施の形態２においても、無線基地局装置１Ａ内は、実施の形態１と同様の構成をとる。状態取得部１１３は、定期的に第１〜第３の無線送出部１３１Ａ〜１３１Ｃの状態を監視し、状態記憶部１１２に状態を格納する。状態の取得は、無線送出部が状態の変化があったときに非同期に監視制御機能部１１Ａに報告しても良い。また、必要に応じて不定期に状態取得部１１３から取得をしても構わない。
【００４０】
第１の無線送出部１３１Ａが例えば１枚の機能カードにより実現されていた場合、前述した実施の形態１の処理により、運用から切り離された後、当該カードを抜去し、新たなカードを挿入することで、機能部の交換を行うことがある。また、上位装置（図示せず）により、前述した実施の形態１の処理により、運用から切り離された後、当該機能部の閉塞状態を解除することも考えられる。ここでは、第１の無線送出部１３１Ａが交換された場合を例に、本実施の形態を説明する。
【００４１】
第１の無線送出部１３１Ａの交換が行われた後、新たな第１の無線送出部１３１Ａは、自律的に起動処理を行う。起動後、第１の無線送出部１３１Ａは、運用可能状態となる。
【００４２】
状態取得部１１３は、上述したように、当該無線送出部の状態も定期的に取得するため、第１の無線送出部１３１Ａの運用可能状態を検知し、状態記憶部１１２に状態を格納する。
【００４３】
制御管理部１１１は、状態記憶部１１２より、第１の無線送出部１３１Ａの運用可能状態を確認し、第１の無線送出部１３１Ａに対して無線リソースに関する情報を更新し、同時に予備系無線送出部１３１Ｘが送出している無線信号が、第１の無線送出部１３１Ａが担当する無線信号に合致するかどうかを判断する。合致した場合、予備系無線送出部１３１Ｘから第１の無線送出部１３１Ａへの切り戻しが可能と判断する。合致しなかった場合は、他の無線送出部１３１Ｂ〜１３１Ｃのいずれかが担当する無線信号を送出しているものと判断し、切り戻しは行わない。
【００４４】
第１の無線送出部１３１Ａへの切り戻しが可能と判断した場合、制御管理部１１１は、送出停止処理部１１４に対し、予備系無線送出部１３１Ｘへの無線送出停止指示を送出する。送出停止処理部１１４は、当該指示を受け、予備系無線送出部１３１Ｘに対し、無線送出停止指示を送出する。この段階で、予備系無線送出部１３１Ｘは、無線信号の送出を停止する。
【００４５】
無線信号の送出停止を検知した制御管理部１１１は、無線送出機能部１３内の送出切替部１３３に対し、無線送出の切り戻し指示を送出する。切り戻し指示を受信した送出切替部１３３は、予備系無線送出部１３１Ｘに接続されていた無線送出経路を、第１の無線送出部への接続に切替を実施する。
【００４６】
第１の無線送出部１３１Ａへの切り戻しが完了した時点で、制御管理部１１１は、送出開始処理部１１５に対し、第１の無線送出部１３１Ａへの無線送出開始指示を送出する。  送出開始処理部１１５は、当該指示を受け、第１の無線送出部１３１Ａに対し、無線送出開始指示を送出する。この段階で、第１の無線送出部１３１Ａは、無線信号の送出を開始する。
【００４７】
以上説明したとおり、無線送出部の運用からの切り離し後に、無線送出部の復旧を検知し予備系無線送出部から送出していた無線信号を、通常の無線送出部から送出するように切り戻すことが可能となる。このように、無線機能部の復旧時にも、不要な電波を二重に送出することなく、運用を継続することができ、かつ予備系無線送出部を他の運用中の無線送出部の障害等の発生に待機させることが可能となる。
【００４８】
（実施の形態３）
次に、図２を用いて、本発明の実施の形態３について説明する。図２は、本発明の実施の形態３に係る無線基地局装置の概略構成を示すブロック図である。図２において、本実施の形態に係る無線基地局装置１Ｂは、無線周波数で搬送される移動機からのデータをアンテナ２を介して受信し、有線側のインターフェイスに合うデータフォーマットに変換し、有線回線網１２１に送出する。
【００４９】
無線基地局装置１Ｂは、監視制御機能部１１Ｂと、ベースバンド信号処理部１２と、無線受信機能部１４とを備えている。監視制御機能部１１Ｂは、無線基地局装置１Ｂ内の各機能部の状態を収集監視し、当該状態に応じて各機能部の制御を行うものであり、制御管理部１１１と、状態記憶部１１２と、状態取得部１１３と、受信停止処理部１１６と、受信開始処理部１１７とを備えている。制御管理部１１１は、状態取得部１１３により収集された無線基地局装置１Ｂ内の各機能部の状態が蓄積される状態記憶部１１２より、無線基地局装置１Ｂ内の各機能部の状態を取得するものであり、受信停止処理部１１６、受信開始処理部１１７及び後述する受信切替部１４３の動作制御を行うものである。受信停止処理部１１６は、後述する複数の現用系無線受信部１４１Ａ〜１４１Ｃ及び予備系無線受信部１４１Ｘのうちの一に対して無線受信停止指示を出力するものである。受信開始処理部１１７は、複数の現用系無線受信部１４１Ａ〜１４１Ｃ及び予備系無線受信部１４１Ｘのうちの一に対して無線受信開始指示を出力するものである。
【００５０】
ベースバンド信号処理部１２は、無線受信機能部１４からのデータに対してベースバンド逆拡散処理を行うものである。無線受信機能部１４は、アンテナ２からの無線信号を受信し、ベースバンド信号として送出する機能を有するものであり、現用系無線受信部１４１Ａ〜１４１Ｃ及び予備系無線受信部１４１Ｘと、受信切替部１４３とを備えている。現用系無線受信部１４１Ａ〜１４１Ｃ及び予備系無線受信部１４１Ｘは、無線周波数信号をベースバンド信号に変換するものである。受信切替部１４３は、現用系無線受信部１４１Ａ〜１４１Ｃのうちの一から予備系無線受信部１４１Ｘへの運用切替を行うものである。無線受信機能部１４は、冗長構成をとることにより、障害発生時に待機している予備系無線受信部１４１Ｘに運用を切替えることにより、サービスの中断を回避することが可能となる。
【００５１】
次に、無線信号の受信停止の動作について説明する。本来、無線信号の受信時において、現用系無線受信部１４１Ａ〜１４１Ｃにおいて何らかの障害が発生した場合、現用系無線受信部１４１Ａ〜１４１Ｃは、自律的に自身の障害を検出し、自身の無線受信を停止し、予備系無線受信部１４１Ｘに運用を切替える。
【００５２】
一方、無線受信部１４１Ａ〜１４１Ｃを含む機能部のバージョンアップ等を行うために、当該機能部を運用から切り離す必要がある場合がある。この場合、無線基地局装置１Ｂの上位装置（図示せず）などから運用からの切り離しの指示を、制御管理部１１１が受信する。制御管理部１１１は、当該指示に従い、無線受信部１４１Ａ〜１４１Ｃのうち、運用から切り離す対象となる無線受信部の閉塞処理を行う。閉塞処理は、現在、接続が確立されている無線リソースの使用が終了するのを待ち、その後当該無線受信部のリソースが使用されないようにするための処理である。閉塞処理の途中、無線受信部は予閉塞状態に遷移するが、この予閉塞状態は、待機している予備系無線受信部１４１Ｘ（カード）への無線リソースの引継ぎが完了するまで持続するため、自身で無線リソースの使用終了を検知することができない。このため、監視制御機能部１１Ｂにより、現用系無線受信部１４１Ａ〜１４１Ｃと予備系無線受信部１４１Ｘの状態を監視し、明示的に無線受信機能部１４に対して無線受信停止指示を出す必要がある。
【００５３】
ここでは、第１の無線受信部１４１Ａを運用から切り離す必要がある場合を例に説明をする。状態取得部１１３は、実施の形態１で無線送出部１３１Ａ〜１３１Ｃの状態を監視するのと同様に、無線受信部１４１Ａ〜１４１Ｃの状態監視も行う。
【００５４】
制御管理部１１１は、上位装置からの第１の無線受信部１４１Ａに対する閉塞指示を受付けたとする。制御管理部１１１は、第１の無線受信部１４１Ａに対し閉塞指示を送出する。無線受信部１４１Ａは、閉塞指示に従い、自身の状態を予閉塞状態とし、使用中の無線リソースの使用が終了するまで待機する。状態取得部１１３は、無線受信部１４１Ａの閉塞状態を検知し、状態記憶部１１２に格納する。
【００５５】
制御管理部１１１は、第１の無線受信部１４１Ａの無線リソースに関する情報を更新し、同時に予備系無線受信部１４１Ｘの状態を確認する。予備系無線受信部１４１Ｘの状態が無線リソースを未使用である場合は、予備系無線受信部１４１Ｘへの切替が可能と判断する。予備系無線受信部１４１Ｘの状態が、無線リソースを使用中である場合には、予備系無線受信部１４１Ｘへの切替が不可能と判断し、切替処理を行わない。
【００５６】
予備系無線受信部１４１Ｘへの切替が可能と判断した場合、制御管理部１１１は、受信停止処理部１１６に対し、第１の無線受信部１４１Ａへの無線受信停止指示を送出する。受信停止処理部１１６は、当該指示を受け、第１の無線受信部１４１Ａに対し、無線受信停止指示を送出する。この段階で、第１の無線受信部１４１Ａは、無線信号の受信を停止する。
【００５７】
無線信号の受信停止を検知した制御管理部１１１は、無線受信機能部１４内の受信切替部１４３に対し、無線受信の切替指示を送出する。切替指示を受信した受信切替部１４３は、第１の無線受信部１４１Ａに接続されていた無線受信経路を、予備系無線受信部１４１Ｘへの接続に切替を実施する。
【００５８】
予備系無線受信部１４１Ｘへの切替が完了した時点で、制御管理部１１１は、受信開始処理部１１７に対し、予備系無線受信部１４１Ｘへの無線受信開始指示を送出する。受信開始処理部１１７は、当該指示を受け、予備系無線受信部１４１Ｘに対し、無線受信開始指示を送出する。この段階で、予備系無線受信部１４１Ｘは、無線の受信を開始する。
【００５９】
以上説明したとおり、上位装置等からの指示により現用系無線受信部の運用からの切り離しを行う場合に、同一の無線周波数を二重に受信することなく、運用を継続することが可能となる。
【００６０】
（実施の形態４）
次に、図２を用いて、本発明の実施の形態４について説明する。実施の形態４においても、無線基地局装置１Ｂ内は、実施の形態３と同様の構成をとる。状態取得部１１３は、定期的に第１〜第３の無線受信部１４１Ａ〜１４１Ｃの状態を監視し、状態記憶部１１２に状態を格納する。状態の取得は、無線受信部が状態の変化があったときに非同期に監視制御機能部１１Ｂに報告しても良い。また、必要に応じて不定期に状態取得部１１３から取得をしても構わない。
【００６１】
第１の無線受信部１４１Ａが例えば１枚の機能カードにより実現されていた場合、前述した実施の形態３の処理により、運用から切り離された後、当該カードを抜去し、新たなカードを挿入することで、機能部の交換を行うことがある。また、上位装置（図示せず）により、前述した実施の形態３の処理により、運用から切り離された後、当該機能部の閉塞状態を解除することも考えられる。ここでは、第１の無線受信部１４１Ａが交換された場合を例に、本実施の形態を説明する。
【００６２】
第１の無線受信部１４１Ａの交換が行われた後、新たな第１の無線受信部１４１Ａは、自律的に起動処理を行う。起動後、第１の無線受信部１４１Ａは、運用可能状態となる。
【００６３】
状態取得部１１３は、上述したように、当該無線受信部の状態も定期的に取得するため、第１の無線受信部１４１Ａの運用可能状態を検知し、状態記憶部１１２に状態を格納する。
【００６４】
制御管理部１１１は、状態記憶部１１２より、第１の無線受信部１４１Ａの運用可能状態を確認し、第１の無線受信部１４１Ａに対して無線リソースに関する情報を更新し、同時に予備系無線受信部１４１Ｘが受信している無線信号が、第１の無線受信部１４１Ａが担当する無線信号に合致するかどうかを判断する。合致した場合、予備系無線受信部１４１Ｘから第１の無線受信部１４１Ａへの切り戻しが可能と判断する。合致しなかった場合は、他の無線受信部１４１Ｂ〜１４１Ｃのいずれかが担当する無線信号を受信しているものと判断し、切り戻しは行わない。
【００６５】
第１の無線受信部１４１Ａへの切り戻しが可能と判断した場合、制御管理部１１１は、受信停止処理部１１６に対し、予備系無線受信部１４１Ｘへの無線受信停止指示を送出する。受信停止処理部１１６は、当該指示を受け、予備系無線受信部１４１Ｘに対し、無線受信停止指示を送出する。この段階で、予備系無線受信部１４１Ｘは、無線信号の受信を停止する。
【００６６】
無線信号の受信停止を検知した制御管理部１１１は、無線受信機能部１４内の受信切替部１４３に対し、無線受信の切り戻し指示を送出する。切り戻し指示を受信した受信切替部１４３は、予備系無線受信部１４１Ｘに接続されていた無線受信経路を、第１の無線受信部１４１Ａへの接続に切替を実施する。
【００６７】
第１の無線受信部１４１Ａへの切り戻しが完了した時点で、制御管理部１１１は、受信開始処理部１１７に対し、第１の無線受信部１４１Ａへの無線受信開始指示を送出する。受信開始処理部１１７は、当該指示を受け、第１の無線受信部１４１Ａに対し、無線受信開始指示を送出する。この段階で、第１の無線受信部１４１Ａは、無線信号の受信を開始する。
【００６８】
以上説明したとおり、無線受信部の運用からの切り離し後に、無線受信部の復旧を検知し予備系無線受信部から受信していた無線信号を、通常の無線受信部から受信するように切り戻すことが可能となる。このように、無線機能部の復旧時にも、不要な電波を二重に受信することなく、運用を継続することができ、かつ予備系無線受信部を他の運用中の無線受信部の障害等の発生に待機させることが可能となる。
【００６９】
（実施の形態５）
次に、図３を用いて、本発明の実施の形態５について説明する。図３は、本発明の実施の形態５に係る無線基地局装置の概略構成を示すブロック図である。図３において、本実施の形態に係る無線基地局装置１Ｃは、有線回線網１２１からのデータを無線側のインターフェイスに合うデータフォーマットに変換し、当該無線基地局装置１Ｃが担当する無線エリアに存在する移動機に対して、アンテナ２を介して無線周波数信号を送出する。また、無線周波数で搬送される移動機からのデータをアンテナ２を介して受信し、有線側のインターフェイスに合うデータフォーマットに変換し、有線回線網１２１に送出する。
【００７０】
無線基地局装置１Ｃは、監視制御機能部１１Ｃと、ベースバンド信号処理部１２と、無線送出機能部１３と、無線受信機能部１４とを備えている。監視制御機能部１１Ｃは、無線基地局装置１Ｃ内の各機能部の状態を収集監視し、当該状態に応じて各機能部の制御を行うものであり、制御管理部１１１と、状態記憶部１１２と、状態取得部１１３と、送出停止処理部１１４と、送出開始処理部１１５と、受信停止処理部１１６と、受信開始処理部１１７とを備えている。制御管理部１１１は、状態取得部１１３により収集された無線基地局装置１Ｃ内の各機能部の状態が蓄積される状態記憶部１１２より、無線基地局装置１Ｃ内の各機能部の状態を取得するものであり、送出停止処理部１１４、送出開始処理部１１５、送出切替部１３３、受信停止処理部１１６、受信開始処理部１１７及び受信切替部１４３の動作制御を行うものである。送出停止処理部１１４は、複数の現用系無線送出部１３１Ａ〜１３１Ｃ及び予備系無線送出部１３１Ｘのうちの一に対して無線送出停止指示を出力するものである。送出開始処理部１１５は、複数の現用系無線送出部１３１Ａ〜１３１Ｃ及び予備系無線送出部１３１Ｘのうちの一に対して無線送出開始指示を出力するものである。受信停止処理部１１６は、複数の現用系無線受信部１４１Ａ〜１４１Ｃ及び予備系無線受信部１４１Ｘのうちの一に対して無線受信停止指示を出力するものである。  受信開始処理部１１７は、複数の現用系無線受信部１４１Ａ〜１４１Ｃ及び予備系無線受信部１４１Ｘのうちの一に対して無線受信開始指示を出力するものである。
【００７１】
なお、ベースバンド信号処理部１２、無線送出機能部１３及び無線受信機能部１４については、実施の形態１及び実施の形態３と同様の構成を有しており、ここでは説明を省略する。
【００７２】
本実施の形態に係る無線基地局装置１Ｃによれば、実施の形態１及び実施の形態３において説明した双方の動作を実現することが可能となる。
【００７３】
以上説明したとおり、無線送受信可能な無線基地局装置において、不要な電波を二重に送出することなく、また不要な電波を二重に受信することがなく運用を継続することが可能となる。
【００７４】
（実施の形態６）
次に、図３を用いて、本発明の実施の形態６について説明する。実施の形態６においても、無線基地局装置１Ｃ内は、実施の形態５と同様の構成をとる。
【００７５】
本実施の形態に係る無線基地局装置１Ｃによれば、実施の形態２及び実施の形態４において説明した双方の動作を実現することが可能となる。
【００７６】
以上説明したとおり、無線送受信可能な無線基地局装置において、不要な電波を二重に送出することなく、また不要な電波を二重に受信することがなく運用を継続することが可能となり、かつ機能部の復旧時に切り戻し処理が可能となり、予備系の無線送受信部を他の運用中の無線送受信部の障害等の発生に待機させることが可能となる。
【００７７】
（実施の形態７）
次に、図４を用いて、本発明の実施の形態７について説明する。図４は、本発明の実施の形態７に係る無線基地局装置の概略構成を示すブロック図である。図４において、本実施の形態に係る無線基地局装置１Ｄは、有線回線網１２１からのデータを無線側のインターフェイスに合うデータフォーマットに変換し、当該無線基地局装置１Ｄが担当する無線エリアに存在する移動機に対して、アンテナ２を介して無線周波数信号を送出する。また、無線周波数で搬送される移動機からのデータをアンテナ２を介して受信し、有線側のインターフェイスに合うデータフォーマットに変換し、有線回線網１２１に送出する。
【００７８】
無線基地局装置１Ｄは、監視制御機能部１１Ｄと、ベースバンド信号処理部１２と、無線送出機能部１３とを備えている。監視制御機能部１１Ｄは、無線基地局装置１Ｄ内の各機能部の状態を収集監視し、当該状態に応じて各機能部の制御を行うものであり、制御管理部１１１と、状態記憶部１１２と、状態取得部１１３と、送出停止処理部１１４と、送出開始処理部１１５と、ヘルスチェック処理部１１８と、強制停止処理部１１９とを備えている。制御管理部１１１は、状態取得部１１３により収集された無線基地局装置１Ｄ内の各機能部の状態が蓄積される状態記憶部１１２より、無線基地局装置１Ｄ内の各機能部の状態を取得するものであり、送出停止処理部１１４、送出開始処理部１１５、送出切替部１３３、ヘルスチェック処理部１１８及び強制停止処理部１１９の動作制御を行うものである。送出停止処理部１１４は、複数の現用系無線送出部１３１Ａ〜１３１Ｃ及び予備系無線送出部１３１Ｘのうちの一に対して無線送出停止指示を出力するものである。送出開始処理部１１５は、複数の現用系無線送出部１３１Ａ〜１３１Ｃ及び予備系無線送出部１３１Ｘのうちの一に対して無線送出開始指示を出力するものである。ヘルスチェック処理部１１８は、現用系無線送出部１３１Ａ〜１３１Ｃ及び予備系無線送出部１３１Ｘに対して定期的にヘルスチェック信号を送出するものである。強制停止処理部１１９は、一定期間ヘルスチェック信号に対する応答が無い無線送出部が存在する場合に予備系無線送出部１３１Ｘに対して強制送出停止指示を出力するものであり、強制送出停止指示を受信した予備系無線送出部１３１Ｘは当該応答が無い無線送出部の無線送出を強制的に停止させる。
【００７９】
なお、ベースバンド信号処理部１２及び無線送出機能部１３については、実施の形態１と同様の構成を有しており、ここでは説明を省略する。
【００８０】
続いて、ヘルスチェック処理の結果として、無線送出部が無応答になった場合の無線送出停止処理について説明する。
【００８１】
ヘルスチェック処理部１１８により、ヘルスチェック信号が、各無線送出部毎に、例えば１０秒間隔で送出される。ヘルスチェック信号の送出の間隔は特に限定しない。また、複数の無線送出部に対し同報処理により、同時にヘルスチェック信号を送出してもよい。
【００８２】
ヘルスチェック処理部１１８は、当該ヘルスチェックの応答を正常に検知することで、ヘルスチェック信号を送出した無線送出部の正常動作を確認するが、ヘルスチェックの対象の無線送出部の内部的な障害が発生した場合や、バス等の通信路の障害等により、規定時間内に応答を受信できない場合、あるいはヘルスチェック信号に対してＮＧ応答を受信した場合は、当該無線送出部を障害とみなす。上述したとおり、監視制御機能部１１Ｄは、常に無線基地局装置１Ｄ内の無線送出部の状態を監視し、各無線送出部の障害を検知するのが一般的であるが、バスの障害等により、状態は正常に見えても、無線送出部が正常に動作できない場合があるため、このヘルスチェック処理が有効となる。
【００８３】
ヘルスチェック処理部１１８が、第１の無線送出部１３１Ａに対するヘルスチェック信号を送出した際に、第１の無線送出部１３１Ａに何らかの内部的な障害が発生していた場合、第１の無線送出部１３１Ａからの応答がタイムアウトとなる。ヘルスチェック処理部１１８は、制御管理部１１１に対し第１の無線送出部１３１Ａのヘルスチェック異常を通知する。
【００８４】
通知を受けた制御管理部１１１は、強制停止処理部１１９に対し、強制的に無線送出を停止させる指示を出す。強制停止処理部１１９は、予備系無線送出部１３１Ｘに対し強制停止指示を出力する。この指示には、強制送出停止をする無線送出部１３１Ａの番号♯１が含まれる。当該強制送出停止指示を受けた予備系無線送出部１３１Ｘは、指示の内容に含まれる強制送出停止を行う運用系の第１の無線送出部１３１Ａに対し、出力停止指示を送出する。この出力停止指示を受信した第１の無線送出部１３１Ａは、無条件に無線送出を停止する。
【００８５】
また、予備系無線送出部１３１Ｘが切替可能な状態と判断できた場合には、実施の形態１及び実施の形態２で説明した処理と同様に切替処理を行い、予備系無線送出部１３１Ｘに対し、送出開始処理部１１５から無線送出開始指示を出すことにより、予備系での運用継続が可能となる。
【００８６】
以上説明したとおり、状態取得部１１３による機能部の通常の状態監視では検知できない機能部の障害をヘルスチェック処理により検知し、特に無線送出部の障害をヘルスチェック処理により検知可能とすることにより、監視制御部が障害と認識できない場合にも無線周波数信号を送出し続けてしまうことを回避することが可能となり、かつ運用を継続することが可能となる。
【００８７】
（実施の形態８）
次に、図５を用いて、本発明の実施の形態８について説明する。図５は、本発明の実施の形態８に係る無線基地局装置の概略構成を示すブロック図である。図５において、本実施の形態に係る無線基地局装置１Ｅは、無線周波数で搬送される移動機からのデータをアンテナ２を介して受信し、有線側のインターフェイスに合うデータフォーマットに変換し、有線回線網１２１に送出する。
【００８８】
無線基地局装置１Ｅは、監視制御機能部１１Ｅと、ベースバンド信号処理部１２と、無線受信機能部１４とを備えている。監視制御機能部１１Ｅは、無線基地局装置１Ｅ内の各機能部の状態を収集監視し、当該状態に応じて各機能部の制御を行うものであり、制御管理部１１１と、状態記憶部１１２と、状態取得部１１３と、受信停止処理部１１６と、受信開始処理部１１７と、ヘルスチェック処理部１１８と、強制停止処理部１１９とを備えている。制御管理部１１１は、状態取得部１１３により収集された無線基地局装置１Ｅ内の各機能部の状態が蓄積される状態記憶部１１２より、無線基地局装置１Ｅ内の各機能部の状態を取得するものであり、受信停止処理部１１６、受信開始処理部１１７、受信切替部１４３、ヘルスチェック処理部１１８及び強制停止処理部１１９の動作制御を行うものである。受信停止処理部１１６は、複数の現用系無線受信部１４１Ａ〜１４１Ｃ及び予備系無線受信部１４１Ｘのうちの一に対して無線受信停止指示を出力するものである。受信開始処理部１１７は、複数の現用系無線受信部１４１Ａ〜１４１Ｃ及び予備系無線受信部１４１Ｘのうちの一に対して無線受信開始指示を出力するものである。ヘルスチェック処理部１１８は、現用系無線受信部１４１Ａ〜１４１Ｃ及び予備系無線受信部１４１Ｘに対して定期的にヘルスチェック信号を送出するものである。強制停止処理部１１９は、一定期間ヘルスチェック信号に対する応答が無い無線受信部が存在する場合に予備系無線受信部１４１Ｘに対して強制受信停止指示を出力するものであり、強制受信停止指示を受信した予備系無線受信部１４１Ｘは当該応答が無い無線受信部の無線受信を強制的に停止させる。
【００８９】
なお、ベースバンド信号処理部１２及び無線受信機能部１４については、実施の形態２と同様の構成を有しており、ここでは説明を省略する。
【００９０】
続いて、ヘルスチェック処理の結果として、無線受信部が無応答になった場合の無線受信停止処理について説明する。
【００９１】
ヘルスチェック処理部１１８により、ヘルスチェック信号が、各無線受信部毎に、例えば１０秒間隔で送出される。ヘルスチェック信号の送出の間隔は特に限定しない。また、複数の無線受信部に対し同報処理により、同時にヘルスチェック信号を送出してもよい。
【００９２】
ヘルスチェック処理部１１８が、第１の無線受信部１４１Ａに対するヘルスチェック信号を送出した際に、第１の無線受信部１４１Ａに何らかの内部的な障害が発生していた場合、第１の無線受信部１４１Ａからの応答がタイムアウトとなる。ヘルスチェック処理部１１８は、制御管理部１１１に対し第１の無線受信部１４１Ａのヘルスチェック異常を通知する。
【００９３】
通知を受けた制御管理部１１１は、強制停止処理部１１９に対し、強制的に無線受信を停止させる指示を出す。強制停止処理部１１９は、予備系無線受信部１４１Ｘに対し強制停止指示を出力する。この指示には、強制受信停止をする無線受信部１４１Ａの番号♯１が含まれる。当該強制受信停止指示を受けた予備系無線受信部１４１Ｘは、指示の内容に含まれる強制受信停止を行う運用系の第１の無線受信部１４１Ａに対し、受信停止指示を送出する。この受信停止指示を受信した第１の無線受信部１４１Ａは、無条件に無線受信を停止する。
【００９４】
また、予備系無線受信部１４１Ｘが切替可能な状態と判断できた場合には、実施の形態３及び実施の形態４で説明した処理と同様に切替処理を行い、予備系無線受信部１４１Ｘに対し、受信開始処理部１１７から無線受信開始指示を出すことにより、予備系での運用継続が可能となる。
【００９５】
以上説明したとおり、状態取得部１１３による機能部の通常の状態監視では検知できない機能部の障害をヘルスチェック処理により検知し、特に無線受信部の障害をヘルスチェック処理により検知可能とすることにより、監視制御部が障害と認識できない場合にも無線周波数信号を受信し続けてしまうことを回避することが可能となり、かつ運用を継続することが可能となる。
【産業上の利用可能性】
【００９６】
本発明は、障害が発生した場合でも不要電波の送出を防ぐことができ、かつ障害が発生した箇所を運用から切り離して運用を継続することができるといった効果を有し、移動体通信システムにおける無線基地局装置に適用が可能である。
【図面の簡単な説明】
【００９７】
【図１】本発明の実施の形態１及び実施の形態２に係る無線基地局装置の概略構成を示すブロック図
【図２】本発明の実施の形態３及び実施の形態４に係る無線基地局装置の概略構成を示すブロック図
【図３】本発明の実施の形態５及び実施の形態６に係る無線基地局装置の概略構成を示すブロック図
【図４】本発明の実施の形態７に係る無線基地局装置の概略構成を示すブロック図
【図５】本発明の実施の形態８に係る無線基地局装置の概略構成を示すブロック図
【符号の説明】
【００９８】
１Ａ、１Ｂ、１Ｃ、１Ｄ、１Ｅ            無線基地局装置
２                                      アンテナ
１１Ａ、１１Ｂ、１１Ｃ、１１Ｄ、１１Ｅ  監視制御機能部
１２    ベースバンド信号処理部
１３    無線送出機能部
１４    無線受信機能部
１１１  制御管理部
１１２  状態記憶部
１１３  状態取得部
１１４  送出停止処理部
１１５  送出開始処理部
１１６  受信停止処理部
１１７  受信開始処理部
１１８  ヘルスチェック処理部
１１９  強制停止処理部
１２１  回線網（有線網)
１３１Ａ〜１３１Ｃ  現用系無線送出部
１３１Ｘ            予備系無線送出部
１３２Ａ〜１３２Ｃ  無線増幅部
１３３              送出切替部
１４１Ａ〜１４１Ｃ  現用系無線受信部
１４１Ｘ            予備系無線受信部
１４３              受信切替部
【図１】
2005286970.tif 000003
【図２】
2005286970.tif 000004
【図３】
2005286970.tif 000005
【図４】
2005286970.tif 000006
【図５】
2005286970.tif 000007